(57)【要約】 【課題】  薄暗い時や風が吹く中、降雨時や厳寒期等のコンデションが悪い条件下であっても、視力が弱い方や老眼の方、非力な方や手先が器用ではない方であっても、特別な道具類を使わずに素手によって、釣糸の結縛が簡単に着実に行える結縛方法と、該結縛方法を使える釣用連結具の形状及び構造を提供する事を課題とする。【解決手段】  一本の弾性線材で折り返した着接状二本線を使い、直線状に延びた主軸本体部分に角度をつけて曲げた折り曲げ部を設けて、更に直線状に延在する主軸中央部分の端部を略Ｕ字状に折り返しＵ字形状部分を作り、前記折り曲げ部に向けて延在した保持部を有するフック式釣用連結具であって、前記Ｕ字形状部分が釣糸の結縛を行う結縛部分を構成し、該結縛部分に結縛された釣糸の外れ止めを保持部１の略Ｏ字形状１３を形成する事で、孔に挿通せずとも巻き結び結縛による釣糸の連結が行えるようにしたフック式釣用連結具。【選択図】          図４
0003140670.tif 000002
【実用新案登録請求の範囲】
【請求項１】
一本の弾性線材で折り返した着接状二本線を形成し、該着接状二本線が直線状に延びた主軸本体部分３と、該主軸本体部分３に角度をつけて曲げた折り曲げ部６と、該折り曲げ部６から直線状に延在する主軸中央部分２と、該主軸中央部分２の端部を略Ｕ字状に折り返したＵ字形状部分９と、該Ｕ字形状部分９を前記折り曲げ部６の方向に向けて延在した保部１を有するフック式釣用連結具であって、前期Ｕ字形状部分９が釣糸の結縛を行う結縛部分５を構成しつつ、該結縛部分５に結縛された釣糸の外れ止めを行う保持部１の形状は、前記着接状二本線の折り返しを行った部分を、着接状接点の外側に向けてＯ字状に広げて略Ｏ字形状１３を形成しており、前記着接状二本線で構成された前記結縛部分５を形成した外周長より、前記略Ｏ字形状孔１３を形成した外周長が長く成る事で、結縛された釣糸の外れ止めを行う保持部１を形成し、孔に挿通せずとも結縛による釣糸の連結を行える事を特徴とするフック式釣用連結具。
【請求項２】
一本の弾性線材で折り返した着接状二本線を形成し、該着接状二本線が直線状に延びた主軸本体部分３と、該主軸本体部分３に角度をつけて曲げた折り曲げ部６と、該折り曲げ部６から直線状に延在する主軸中央部分２と、該主軸中央部分２の端部を略Ｕ字状に折り返したＵ字形状部分９と、該Ｕ字形状部分９を前記折り曲げ部６の方向に向けて延在した保部１を有するフック式釣用連結具であって、前期Ｕ字形状部分９が釣糸の結縛を行う結縛部分５を構成しつつ、該結縛部分５に結縛された釣糸の外れ止めを行う保持部１の形状は、前記着接状二本線の折り返しを行った部分を、着接状接点の外側に向けてＯ字状に広げて略Ｏ字形状１３を形成しており、前記着接状二本線で構成された前記結縛部分５を形成した外周長より、前記略Ｏ字形状孔１３を形成した外周長が長く成る事で、結縛された釣糸の外れ止めを行う保持部１を形成し、孔に挿通せずとも結縛による釣糸の連結が行える形状の前記着接状二本線の末端部分４を一箇所に集めて、両末端部分を互いの着接状接点の外側に向けて広げて２本のＬ字足２１を形成し、筒形状の両端部分をすぼめた形の樽孔２０を有する樽形状１９に前記末端部分を収め、前記Ｌ字足２１を樽孔２０の内面に当接させることで前記連結具の係留を行い、該樽形状１９の両樽孔２０に前記連結具を係留することによって、樽形状１９の両側に前記連結具を配した事を特徴とするフック式釣用連結具。
【請求項３】
一本の弾性線材で折り返した着接状二本線を形成し、該着接状二本線が直線状に延びた主軸本体部分３と、該主軸本体部分３に角度をつけて曲げた折り曲げ部６と、該折り曲げ部６から直線状に延在する主軸中央部分２と、該主軸中央部分２の端部を略Ｕ字状に折り返したＵ字形状部分９と、該Ｕ字形状部分９を前記折り曲げ部６の方向に向けて延在した保部１を有するフック式釣用連結具であって、前期Ｕ字形状部分９が釣糸の結縛を行う結縛部分５を構成しつつ、該結縛部分５に結縛された釣糸の外れ止めを行う保持部１の形状は、前記着接状二本線の折り返しを行った部分を、着接状接点の外側に向けてＯ字状に広げて略Ｏ字形状１３を形成しており、前記着接状二本線で構成された前記結縛部分５を形成した外周長より、前記略Ｏ字形状孔１３を形成した外周長が長く成る事で、結縛された釣糸の外れ止めを行う保持部１を形成し、孔に挿通せずとも結縛による釣糸の連結が行える形状の主軸末端部４を球形状末端部分１２とする事で、回転運動が自在となる事を特徴とするフック式釣用連結具。
【考案の詳細な説明】
【技術分野】
【０００１】
本考案は釣具や釣糸と釣糸を連結する為の釣用連結具に関する。
【背景技術】
【０００２】
従来の釣用連結具は、スイベルやアイに代表される様に、孔に釣糸を挿通する作業が必要となるが、周知の様に釣糸を連結させる物だけに、抵抗の少ない小さな物と成り、挿通する苦労に反し、最近は釣れなく成って来た事により、釣糸の大きさや長短の調整を頻繁に行ったり、色々な道具を用いた様々な釣法が開発され、釣糸を切ったり結縛したりの作業が多くなって来たが、より多くの魚を手にするには仕方が無い事とわかっていても、視力が弱い方や老眼の方、指先が器用ではない方達は結縛を行う事に大変な苦労をするし、視力の有る方や手先の器用な方の場合でも、早朝や夕方、曇り等の光量不足や、厳寒期や強風時又は降雨時等の条件下では、小さな孔に釣糸を通す作業に時間と手間とが必要となるものであった。
【０００３】
従来の釣糸連結具の中で、上記問題点を解決して行く為に下記記載の先行技術がある。
【特許文献１】特開２００５−３４８７０９号公報
【特許文献２】実開昭和６３−１６７８７１号公報
【０００４】
上記特許文献１の様に、釣針の端を片形状に加工し、その加工部分を丸く折り曲げて糸通し穴を形成し、さらに釣針の手前部に接触させる事で弾性圧力により開閉部分を構成し、更に末端を外側に曲げ開口部を設ける事で、片状で釣糸との接点を広大し、弾性を利用し釣糸を切らずに孔に通す方法と、その弾性を利用した効用を小さな円形の環状で構成した開口部を有するものも知られている。
【０００５】
また、上記特許文献２の様に、当接端部により弾力が付与された折り曲げ部と軸部との強力な狭着力による食い込みによって強固になされる事により釣糸を結び付けること無く係留を簡単な作業で可能とするものも知られている。
【考案の開示】
【考案が解決しようとする課題】
【０００６】
以前の問題は、視力が弱い方や老眼の方、指先が器用ではない方達は釣糸を孔に差し込み出た部分を引っ張り抜く挿通と言う作業が最初に必要で、継続で結縛行為を行い最後に結縛部分で引き締める訳だが、孔に挿通した後でその挿通した小さな孔を有する部分を持って、孔を中心とした狭い部分で４本から６本の指を駆使して、長く続く釣り糸（以下本線１０と記す）と孔を挿通した後の折り返している末端部分までの距離が短い釣糸（以下端線１１と記す）で撚り合わせを５回から７回位行って、出来た撚りが戻らないように指で抑え、本線１０を握って固定しつつもう片方の端線１１を折り返して、孔に挿通した釣糸の輪にもう一度挿通した後で、本線１０と端線１１を互いに引き合う形で締める、と言う繊細かつ複雑で高等とも言える作業となるし、孔を中心とした狭い部分での作業を強いられるので、視力の有る方や手先の器用な方の場合でも、早朝や夕方や曇り等の光量不足や、厳寒期や強風時又は降雨時等の条件下では孔に挿通する事や結縛を行う事に苦労をするので、工具類を必要としない簡単な手作業によって、釣糸に対する負担が少なく簡単に孔に挿通する効果を得られる釣用連結具の形状と、前記釣用連結具の形状に釣糸が着実に結縛出来る結縛方法を提供する事を課題とする。
【０００７】
前記特許文献１の様に、保持力を上げる為に釣糸結縛部分を片状にする事で平面として釣糸との接点を拡大する反面、平らで無い耳部分では接点が小さな角と成り釣糸切れを起
こし易い形状となるので、力が加わる結縛部分には角と成る様な鋭角部分を作らない形状とし、又小さな円形の環状で前記効用を構成した形状も公表されているが、小さな円形の場合は弾性を生むまでの距離が短く、釣糸に対する弾圧負担が大きい事で釣糸を潰し強度を落とす形状となるので、本考案では釣糸を結縛部分に導くと同時に外れ止めの役割を兼任する力点部分には弾性圧力が発生しない事を課題とする。
【０００８】
また、特許文献２の様に、当接端部により弾力が付与された折り曲げ部と軸部との強力な狭着力による食い込みによって強固になされるものと記載されており、狭着部分の幅員を狭くしないと釣糸はすっぽ抜ける事から、糸掛止部に近付くほど狭く作る必要が生じ、弾性を発生させる折り返し部分である糸掛止部から離れた弾性が緩い案内部に釣糸を当接させた状態から、強い弾性が働く折り返し部分である糸掛止部の狭い部分に向かって釣糸を引き込むことで狭着固定を行う事となるのだが、釣糸が抜け出ない程の狭着力による食い込みで潰され、扁平した状態で強度を維持するだけでも釣糸にとって大きな負担であるところに、魚がヒットして引き合う事から釣糸は更に折り返し部分のより狭い所に引き込まれ、食い込み潰される事で引っ張り強度以外の狭着力により、本来兼ね備えた強度を発揮出来ずに切断される事となるので、釣糸を係留する糸掛止部に弾性圧力による狭着力が発生しない事を課題とする。
【課題を解決するための手段】
【０００９】
一本の弾性線材で折り返した着接状二本線を形成し、該着接状二本線が直線状に延びた主軸本体部分３と、該主軸本体部分３に角度をつけて曲げた折り曲げ部６と、該折り曲げ部６から直線状に延在する主軸中央部分２と、該主軸中央部分２の端部を略Ｕ字状に折り返したＵ字形状部分９と、該Ｕ字形状部分９を前記折り曲げ部６の方向に向けて延在した保部１を有するフック式釣用連結具であって、前期Ｕ字形状部分９が釣糸の結縛を行う結縛部分５を構成しつつ、該結縛部分５に結縛された釣糸の外れ止めを行う保持部１の形状は、前記着接状二本線の折り返しを行った部分を、着接状接点の外側に向けてＯ字状に広げて略Ｏ字形状１３を形成しており、前記着接状二本線で構成された前記結縛部分５を形成した外周長より、前記略Ｏ字形状孔１３を形成した外周長が長く成る事で、結縛された釣糸の外れ止めを行う保持部１を形成し、孔に挿通せずとも結縛による釣糸の連結を行える事を特徴とする形状にある。（請求項１）
【００１０】
一本の弾性線材で折り返した着接状二本線を形成し、該着接状二本線が直線状に延びた主軸本体部分３と、該主軸本体部分３に角度をつけて曲げた折り曲げ部６と、該折り曲げ部６から直線状に延在する主軸中央部分２と、該主軸中央部分２の端部を略Ｕ字状に折り返したＵ字形状部分９と、該Ｕ字形状部分９を前記折り曲げ部６の方向に向けて延在した保部１を有するフック式釣用連結具であって、前期Ｕ字形状部分９が釣糸の結縛を行う結縛部分５を構成しつつ、該結縛部分５に結縛された釣糸の外れ止めを行う保持部１の形状は、前記着接状二本線の折り返しを行った部分を、着接状接点の外側に向けてＯ字状に広げて略Ｏ字形状１３を形成しており、前記着接状二本線で構成された前記結縛部分５を形成した外周長より、前記略Ｏ字形状孔１３を形成した外周長が長く成る事で、結縛された釣糸の外れ止めを行う保持部１を形成し、孔に挿通せずとも結縛による釣糸の連結が行える形状の前記着接状二本線の末端部分４を一箇所に集めて、両末端部分を互いの着接状接点の外側に向けて広げて２本のＬ字足２１を形成し、筒形状の両端部分をすぼめた形の樽孔２０を有する樽形状１９に前記末端部分を収め、前記Ｌ字足２１を樽孔２０の内面に当接させることで前記連結具の係留を行い、該樽形状１９の両樽孔２０に前記連結具を係留することによって、樽形状１９の両側に前記連結具を配した事を特徴とする構造にある。（請求項２）
【００１１】
一本の弾性線材で折り返した着接状二本線を形成し、該着接状二本線が直線状に延びた主軸本体部分３と、該主軸本体部分３に角度をつけて曲げた折り曲げ部６と、該折り曲げ
部６から直線状に延在する主軸中央部分２と、該主軸中央部分２の端部を略Ｕ字状に折り返したＵ字形状部分９と、該Ｕ字形状部分９を前記折り曲げ部６の方向に向けて延在した保部１を有するフック式釣用連結具であって、前期Ｕ字形状部分９が釣糸の結縛を行う結縛部分５を構成しつつ、該結縛部分５に結縛された釣糸の外れ止めを行う保持部１の形状は、前記着接状二本線の折り返しを行った部分を、着接状接点の外側に向けてＯ字状に広げて略Ｏ字形状１３を形成しており、前記着接状二本線で構成された前記結縛部分５を形成した外周長より、前記略Ｏ字形状孔１３を形成した外周長が長く成る事で、結縛された釣糸の外れ止めを行う保持部１を形成し、孔に挿通せずとも結縛による釣糸の連結が行える形状の主軸末端部４を球形状末端部分１２とする事で、回転運動が自在となる事を特徴とする構造にある。（請求項３）
【００１２】
本考案の着接状二本線である主軸末端部分４を、釣具に装着用孔を穿孔しその中に接着剤や凝固剤等を注入する一方、該装着用孔よりも長く、所定長に設定された該主軸末端部分４を挿着する事で、線材の切断面が全て釣具の中に収まる事となり、鋭利な部分が露出しない事で釣糸にストレスを与えない事を特徴とする形状にある。
【００１３】
本考案の着接状二本線である主軸本体部分３の軸線上に結縛部分５が合致することで、釣具に装着した本考案の主軸本体部分３と結縛部分５に結縛した釣糸を引く力とが一直線上に成る事で、本考案を装着した釣具は軸がぶれずに安定した動きを得られることを特徴とする形状にある。
【００１４】
本考案の着接状二本線の末端部分４を一箇所に集めて、両末端部分を互いの着接状接点の外側に向けて広げて２本のＬ字足２１を形成し、筒形状の両端部分をすぼめた形の樽孔２０を有する樽形状１９に前記末端部分４を収め、前記Ｌ字足２１を樽孔２０の内面に当接させることで本考案具に係留を行い、該樽形状１９の両樽孔２０に前記本発明具を係留することによって、樽形状１９の両側に前記本発明具を配することで回転にぶれが無い効率的な釣糸の撚り戻し効果を得られることを特徴とする形状にある。
【００１５】
本考案の略Ｏ字形状孔１３部分を除く形状が着接状の二本線で形成される事で、結縛を行う部分である結縛部分５の形状は、並列した二本線で構成された結縛面と成り、単線の場合は接点と成る事に対して、釣糸との接点を結縛面と広大する事で釣糸の負担が軽減出来ることを特徴とする形状にある。
【００１６】
本考案の連結具の開発には巻き結びという結縛方法の確立によって可能となったところが大きく、予め巻結びを作っておき結縛輪８に案内部７を通して結縛部分５に当接させ、本線１０を引き締めれば結縛が完了できるという結縛の準備が結縛部分と離れた場所で簡単な手作業によって行えて、結縛部分と簡単に係留出来る結縛方法にある。
【００１７】
本考案は釣糸を結縛部分５に導く為の案内部７と言う開口部を設けることで、釣糸を孔に挿通しなくても前記案内部７から前記結縛部分５に釣糸を運び結縛部分５に結縛を行っえるし、結縛を行った釣糸の係留部分が前記結縛部分５から外れない為に略Ｏ字形状孔で保持を行う事で案内部は開口した状態となることから、釣糸に全くストレスを与えずに結縛部分５まで通過しての連結が可能となった案内部７を有する形状にある。
【００１８】
本考案を作る材質についても腐食耐久性及び強度を有する物で有れば配慮しても良い事はもちろんである。
【００１９】
本考案の主軸形状や略Ｏ字形状孔も使う用途に合わせて、例えが回転する軸線上のバランス等の配慮を行う形状等としても良い事はもちろんである。
【００２０】
本考案に使用する線径の太さや形状の大きさや長さを変えるといった、用途に合わせての考慮を行っても良い事はもちろんである。
【考案の効果】
【００２１】
本考案を各種釣具類や連結具に使用すれば、薄暗い時や風が吹く中、降雨時や厳寒期等のコンデションが悪い条件下であっても、視力が弱い方や老眼の方、非力な方や手先が器用ではない方であっても、特別な道具類を使わずに素手によって、釣糸の結縛が簡単に着実に行える巻き結びと言う結縛方法と、該巻き結びの結縛輪を釣糸負担が無い案内部を通し、結縛部分に当接して本線を引き締めれば、簡単に係留を行える特徴を発揮出来る形状及び構造を提供出来るものである。
【考案を実施するための最良の形態】
【００２２】
以下この考案である釣糸連結具の実施形態について、図面に基づいて詳細に説明を致します。
【００２３】
図１は本考案の主軸本体部分３の延長線上に結縛部分５が存在している事が分かる正面図、図２は本考案の結縛部分５を形成した外周長より、略Ｏ字形状孔１３を形成した外周長が長く成る事で、結縛された釣糸の外れ止めを行う保持部１を形成した略O字形状孔１
３の形状が分かる下観図、図３は本考案の着接状二本線が上観すると直線的に連なっている事が分かる上観図、図４は本考案の斜視図、図５は本考案の主軸末端部分４をL字足２
１の形状として樽孔２０の内面に当接させることで係留を行い樽形状１９の両端に配置して撚り戻し効果を与えた図で、左が平面透視図と右が下観透視図、図６は本考案の主軸末端部分４を球形状末端部分１２に変えて例としてロッドトップに挿着させた平面透視図、図７は図６の下観透視図、図８は本考案を色々な釣具に挿着出来る事を例としてエギに装着した図、図９は図８にゴム管を釣糸に通しておき、本考案具に被せる事でアイカバーと成り釣糸の切断を助長出来る事を表した透視図、図１０は巻結びの手順の最初で釣糸を折り返して縒りを入れた図、図１１は図１０の端線１１を結縛輪８に通した図、図１２は図１１の状態で端線１１が作った輪に折り返してもう一度通した図、図１３は図１２で作った結縛輪８を本考案の結縛部分５に当接させた状態の平面図、図１４は図１３の状態から本線１０を引き締め、はみ出た端線１１引き締めて切断して結縛輪８が結縛部分５に結縛を完了した状態の平面図。
【図面の簡単な説明】
【００２４】
【図１】本考案の平面図。
【図２】本考案の下観図。
【図３】は本考案の上観図。
【図４】本考案の斜視図。
【図５】本考案の撚り戻し効果を与えた平面透視図と下観透視図。
【図６】本考案の主軸末端部分４を球形状末端部分１２に変えてロッドトップに挿着させた平面透視図。
【図７】図６の下観透視図。
【図８】本考案を釣具に挿着した図。
【図９】図８にアイカバーで有るゴム管を付けた図。
【図１０】巻結びの手順の最初で釣糸を折り返して縒りを入れた図。
【図１１】図１０の端線１１を結縛輪８に通した図。
【図１２】図１１の状態で端線１１が作った輪に折り返してもう一度通した図。
【図１３】結縛輪８を本考案の結縛部分５に当接させた状態の平面図。
【図１４】図１３の状態から本線１０引き締め結縛が完了した平面図。
【産業上の利用可能性】
【００２５】
本考案に用いた巻結び結縛は、結縛を行いたい部分に巻結びの結縛輪８を当接し引き締めれば瞬時に結縛が行えるという特徴が有るので、開口部分の有る係合部を有するものや、開閉部分のある係合孔等に結縛作業を必要とする場合等に有効で、釣具とは異なる色々なものに適宣使用が可能である。
【００２６】
本考案の材料としては、海水の中で使用する事を主としており、材質的に腐食耐久性に優れている事で寿命が長く、色々な所で幅広く利用が可能であり、国外でも利用される可能性が非常に高い考案である。
【符号の説明】
【００２７】
１  保持部
２  主軸中央部分
３  主軸本体部分
４  主軸末端部分
５  結縛部分
６  折り曲げ部
７  案内部
８  結縛輪（結縛部分に係留状となる輪）
９  U字形状部分
１０  本線（長く続く釣り糸）
１１  端線（巻結びを作った後等の末端側の釣糸）
１２  球形状末端部分
１３  略O字形状孔
１４  球体
１５  本考案具
１６  ループ（ちちわ）
１７  釣糸
１８  ゴム管
１９  樽形状（筒形状の両端部分がすぼんだ形で孔を構成した形状）
２０  樽孔（樽形状の開口部分の名称）
２１  L字足（約９０度に折れ曲がった形状で、樽孔への係留目的で作られた足）
２２  釣具（エギ・ルアー等の疑似餌や釣道具類全般を包括した代表名）
２３  スペーサー
２４  軸支部分
【図１】
0003140670.tif 000003
【図２】
0003140670.tif 000004
【図３】
0003140670.tif 000005
【図４】
0003140670.tif 000006
【図５】
0003140670.tif 000007
【図６】
0003140670.tif 000008
【図７】
0003140670.tif 000009
【図８】
0003140670.tif 000010
【図９】
0003140670.tif 000011
【図１０】
0003140670.tif 000012
【図１１】
0003140670.tif 000013
【図１２】
0003140670.tif 000014
【図１３】
0003140670.tif 000015
【図１４】
0003140670.tif 000016